(57)【要約】      （修正有）【課題】簡単な構成で、安価に製作することができる人工温泉器を提供する。【解決手段】人工温泉器１は、鉱物を収容する、通水性の袋体１０を備え、袋体は、小袋状に区分けされた複数の区画１２で構成され、各区画に鉱物が充填されていることを特徴とし、壁面に複数の通水孔２２を有し、上部が開口した容器２０を備え、鉱物を収容した袋体が容器内に配置されていることを特徴とし、および、容器は、底面に凸部２４を有していることを特徴とする。【選択図】図１
0003232241.tif 000002
【実用新案登録請求の範囲】
【請求項１】
遠赤外線放射物質である鉱物と湯とを接触させて使用する人工温泉器であって、
前記鉱物を収容する、通水性の袋体を備え、
前記袋体は、小袋状に区分けされた複数の区画で構成され、各前記区画に前記鉱物が充填されていることを特徴とする人工温泉器。
【請求項２】
壁面に複数の通水孔を有し、上部が開口した容器を備え、
前記鉱物を収容した前記袋体が前記容器内に配置されていることを特徴とする請求項１に記載の人工温泉器。
【請求項３】
前記容器は、底面に凸部を有していることを特徴とする請求項２に記載の人工温泉器。
【請求項４】
壁面に複数の通水孔を有する載置台を備え、
前記鉱物を収容した前記袋体が前記載置台上に配置されていることを特徴とする請求項１に記載の人工温泉器。
【請求項５】
前記袋体の一端部に吊り下げ用の固定部材を備えていることを特徴とする請求項１〜４のいずれか一項に記載の人工温泉器。
【考案の詳細な説明】
【技術分野】
【０００１】
本考案は、浴槽において遠赤外線放射物質である鉱物と湯とを接触させて使用する人工温泉器に関する。
【背景技術】
【０００２】
従来から、入浴の際の入浴効果を高めることを目的として、入浴剤や、鉱物を利用した器具等が開発されてきた。入浴剤は入浴後排水することで捨てられてしまうが、鉱物を利用した器具は再利用が可能であり、浴槽内において鉱物と湯とを接触させることにより繰り返し温泉様の効能を得ることができる。
【０００３】
鉱物を利用した器具としては、特許文献１には、ラジウムを含む天然鉱石を粘土に適量混練し、素焼状に焼結固化したラドン発生体を、周部に多数の透孔を穿設したステンレス鋼板等、不錆性の偏平容器内に収容して成り、浴湯中に投入浸漬して使用する浴用ラドン発生器が開示されている。
【０００４】
また、特許文献２には、上半部が半球状の浮体と下半部が上面の開口した半球状の容器とを開口面側で着脱可能に連結し、浮体の中央部の上下方向に通水路を設け、容器の下半部に小孔を、上半部に長孔を多数形成し、容器内に光明石を収容した人工温泉器が開示されている。
【先行技術文献】
【特許文献】
【０００５】
【特許文献１】実開昭５９−１３５７６２号公報
【特許文献２】実用新案登録第３２３０１１１号公報
【考案の概要】
【考案が解決しようとする課題】
【０００６】
しかしながら、従来の人工温泉器は、複雑な構造をした専用の容器を作成しなければならなかった。
【０００７】
本考案は、このような事情に鑑みてなされたもので、簡単な構成で、安価に製作することができる人工温泉器を提供することを目的とする。
【課題を解決するための手段】
【０００８】
請求項１記載の人工温泉器は、鉱物を収容する、通水性の袋体を備え、袋体は、小袋状に区分けされた複数の区画で構成され、各区画に鉱物が充填されていることを特徴とする。
【０００９】
請求項２記載の人工温泉器は、壁面に複数の通水孔を有し、上部が開口した容器を備え、鉱物を収容した袋体が容器内に配置されていることを特徴とする。
【００１０】
請求項３記載の人工温泉器は、容器が、底面に凸部を有していることを特徴とする。
【００１１】
請求項４記載の人工温泉器は、壁面に複数の通水孔を有する載置台を備え、鉱物を収容した袋体が載置台上に配置されていることを特徴とする。
【００１２】
請求項５記載の人工温泉器は、袋体の一端部に吊り下げ用の固定部材を備えていることを特徴とする。
【考案の効果】
【００１３】
本考案によれば、簡単な構成で、安価に製作することができる人工温泉器を提供することができる。
【図面の簡単な説明】
【００１４】
【図１】本考案に係る人工温泉器の第１の実施例を示す説明図である。
【図２】本考案に係る人工温泉器の第２の実施例を示す説明図である。
【図３】本考案に係る人工温泉器の第３の実施例を示す説明図である。
【考案を実施するための形態】
【００１５】
以下、本考案の形態について図面を参照しながら具体的に説明する。図１（ａ）は、本考案に係る人工温泉器の第１の実施例を説明する分解図であり、図１（ｂ）は斜視図である。図２は、本考案に係る人工温泉器の第２の実施例を示す斜視図である。図３は、本考案に係る人工温泉器の第３の実施例の使用状態を示す説明図である。
【００１６】
本考案に係る人工温泉器１〜３は、遠赤外線放射物質である鉱物Ｍと湯とを接触させて使用するものであって、図１〜３に示すように、鉱物Ｍを収容する、通水性の袋体１０を備えている。袋体１０の材料は特に限定されないが、天然繊維、半合成繊維、合成繊維等からなる織布、編布、不織布等が挙げられる。袋体１０の大きさは、使用する浴槽Ｂの容量、湯量、収容する鉱物Ｍの量等に応じて決められる。鉱物Ｍを袋体１０に収容することにより、鉱物Ｍを一体として扱うことができ、鉱物Ｍ同士の接触により発生する微粉体の飛散を抑制することができる。また、袋体１０は通水性であるため、袋体１０内に収容された鉱物Ｍは湯と十分に接触することができる。
【００１７】
鉱物Ｍは、遠赤外線放射物質であって入浴効果を高めることができるものであれば任意であるが、天然、人工の鉱物を採用することができる。例えば、天照石、麦飯石、セリサイト鉱石、トルマリン鉱石、ゲルマニウム鉱石、天寿石、角閃石、ブラックシリカ等が挙げられ、これらのうちの１種、または、複数種を混合して用いる。鉱物Ｍの大きさは任意であるが、粉砕した方が湯との接触面積が大きくなるため、粒状、粉状、または、これらの混合物であってもよい。
【００１８】
袋体１０は、１つの収容空間を複数の小袋状に区分けした、複数の区画１２で構成されている。各区画１２には鉱物Ｍが充填されている。区画１２の数、それぞれの大きさ、形状、および、各区画１２に充填される鉱物Ｍの量は特に限定されない。２つの区画１２間の区分けは、縫製、接着、溶着等により形成されている。
【００１９】
本考案に係る人工温泉器１〜３は、通水性の袋体１０が複数の区画１２で構成され、各区画１２に鉱物Ｍが充填されているという簡単な構成からなり、安価に製作することができる。また、鉱物Ｍの成分を効率よく溶出させることができ、入浴効果をより高めることができる。
【００２０】
人工温泉器１〜３は、鉱物Ｍを収容した袋体１０のみで使用されてもよいが、図１（ａ）、（ｂ）に示すように、壁面に複数の通水孔２２を有し、上部が開口した容器２０を備え、鉱物Ｍを収容した袋体１０を容器２０内に配置してもよい。その場合、容器２０は、底面に凸部２４を有していてもよい。容器２０の形状は、上部が開口していて、袋体１０を内部に収容することができるのであれば特に限定されないものの、例えば、直方体、立方体、半球体、半楕円球体等である。容器２０の材質は特に限定されないものの、例えば、合成樹脂、金属、木材、セラミックス等が挙げられる。容器２０を用いることにより、人工温泉器１として運搬等において取り扱い性に優れ、内底面に凸部２４を設けることによって、鉱物Ｍの成分をより効率よく溶出させることができる。
【００２１】
なお、容器２０の壁面に設けられた通水孔２２の大きさ、数、位置、形状等は任意であるが、通水孔２２から容器２０内に湯が入り、鉱物Ｍの成分が溶出した湯が通水孔２２から容器２０外に排出可能であればよい。必要であれば容器２０の開口を蓋や網等で覆ってもよい。また、容器２０の底面に設けられた凸部２４の形状、大きさ、位置等も任意である。
【００２２】
また、図２に示すように、人工温泉器２は、壁面に複数の通水孔３２を有する載置台３０を備え、鉱物Ｍを複数の区画１２に収容した袋体１０を載置台３０上に配置してもよい。載置台３０の形状、大きさ、材質等、および、通水孔３２の形状、大きさ等は、袋体１０を載置台３０上に載置可能であれば特に限定されない。これにより、鉱物Ｍの成分を効率よく溶出させることができる。
【００２３】
また、図３に示すように、人工温泉器３は、鉱物Ｍを複数の区画１２に収容した袋体１０の一端部に吊り下げ用の固定部材１４を備えていてもよい。その場合、袋体１０は、固定部材１４を介して上方から吊り部材で吊り下げられた状態で使用される。吊り下げることにより、広い設置スペースを必要とせず、かつ、鉱物Ｍの成分を効率よく溶出させることができる。
【実施例】
【００２４】
以下、実施例を示して本願の人工温泉器１〜３について説明する。
【００２５】
［実施例１］
本実施例では、人工温泉器１は、遠赤外線放射物質である鉱物Ｍと湯とを接触させて使用するものであって、図１に示すように、袋体１０と容器２０とからなる。
【００２６】
袋体1０は、ポリエステル製で縦３２０ｍｍ×横１９０ｍｍの通水性を有する袋状のネットであり、横方向の一端に設けられた縦３２０ｍｍ×横３５ｍｍの折り返し片と、これと対向する部分とに設けられた面ファスナーにより開閉自在である。袋体１０は、縦方向に４等分されて縦８０ｍｍ×横１９０ｍｍの４つの小袋状の区画１２に区分けされている。なお、図１において、人工温泉器１は、袋体１０の縦方向の一端部に２つの吊り下げ用の固定部材１４を備えているが、実施例１では固定部材１４は必須ではない。
【００２７】
容器２０は、ポリプロピレン製の上部が開口した縦２６５ｍｍ×横１７０ｍｍ×高さ３５ｍｍの直方体である。４つの側壁面には、それぞれ幅５ｍｍの略長方形の通水孔２２が複数設けられ、底壁面には、４ｍｍ×４ｍｍの正方形の通水孔２２が複数設けられている。容器２０の内底面には、図１（ａ）では実線、図１（ｂ）では点線で示す高さ１５ｍｍの凸部２４が縦方向に２本１９５ｍｍ、横方向に１４５ｍｍ延在している。
【００２８】
鉱物Ｍは、遠赤外線を放射している天然鉱石の１種である天照石を用いる。天照石Ｍは、二酸化ケイ素（ＳｉＯ２）と酸化アルミニウム（Ａｌ２Ｏ３）を主成分とし、その他の成分として、酸化マグネシウム（ＭｇＯ）、酸化ナトリウム（Ｎａ２Ｏ）、酸化鉄（ＩＩＩ）（Ｆｅ２Ｏ３）、酸化カルシウム（ＣａＯ）等を含有する。天照石Ｍは粉砕された最大粒径が約５ｍｍ〜２０ｍｍの粒状体であって、袋体１０の４つの区画１２にそれぞれ０．５ｋｇ収容されている。天照石Ｍを収容した各区画１２は、図１に示すように略俵状である。
【００２９】
天照石Ｍが収容された袋体１０を容器２０内に配置して人工温泉器１とする。
【００３０】
次に、人工温泉器１の使用方法について説明する。
まず、湯を張る前に、容量が約２２０Ｌの家庭用の浴槽Ｂ内に人工温泉器１を配置する。人工温泉器１を浴槽Ｂ内に配置してから４１度〜４２度の湯を張り、２０分以上経過してから入浴する。なお、湯の温度は任意であり、温度に応じて浸漬時間を調整すればよい。実施例１では容器２０内に袋体１０を配置したものを人工温泉器１としたが、容器２０を用いることなく袋体１０を直接浴槽Ｂ内に配置してもよい。
【００３１】
［実施例２］
本実施例では、人工温泉器２は、図２に示すように、袋体１０と載置台３０とからなる。袋体１０は、実施例１と同様である。袋体１０の４つの区画１２には最大粒径約５ｍｍ〜２０ｍｍの粒状の天照石Ｍがそれぞれ０．５ｋｇ収容されている。載置台３０は、壁面に複数の通水孔３２を有しており、実施例１の容器２０を底面が上面になるように反転させたものである。鉱物Ｍを収容した袋体１０を載置台３０上に配置し、これを人工温泉器２とする。人工温泉器２の使用方法は、実施例１と同様である。
【００３２】
［実施例３］
本実施例では、人工温泉器３は、図３に示すように、袋体１０が実施例１、２と同様であるが、袋体１０の縦方向の一端部に、２つの吊り下げ用の固定部材１４を備えている。袋体１０の固定部材１４は、ポリエステル製で２５ｍｍ×２５ｍｍの耳状片であり、略中央に鳩目金具を有し直径６ｍｍの貫通孔が穿設されている。袋体１０の４つの区画１２には最大粒径約５ｍｍ〜２０ｍｍの粒状の天照石Ｍがそれぞれ０．５ｋｇ収容され、これを人工温泉器３とする。
【００３３】
次に、人工温泉器３の使用方法について説明する。
まず、固定部材１４を介して上方から袋体１０を吊り下げる吊り部材として、吊り紐Ｃと吊り棒Ｒを用意する。２本の吊り紐Ｃを、袋体１０の２つの固定部材１４の鳩目金具の貫通孔にそれぞれ挿通し、吊り紐Ｃを介して吊り棒Ｒに袋体１０を吊り下げ、浴槽Ｂ内に人工温泉器３を配置する。人工温泉器３を配置する場所は任意であるが、図３では、直方体状の浴槽Ｂの上部開口の４隅の１つに吊り棒Ｒを斜めに架け渡している。人工温泉器３を浴槽Ｂ内に配置してから４１度〜４２度の湯を張り、２０分以上経過してから入浴する。なお、湯を張ってから人工温泉器３を浴槽Ｂ内に浸漬してもよい。
【００３４】
実施例１〜３に係る人工温泉器１〜３は、４つの区画１２に鉱物Ｍが充填された袋体１０を備えているという簡単な構成からなるため、安価に製作することができる。また、コンパクトであり、鉱物Ｍの成分を効率よく溶出させて、遠赤外線により身体を芯から温め、血液の循環を良くすることができ、入浴効果をより高めることができる。
【００３５】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００３６】
本考案により、簡単な構成で、安価に製作することができる人工温泉器を提供することができる。
【符号の説明】
【００３７】
１・・・・・人工温泉器
２・・・・・人工温泉器
３・・・・・人工温泉器
１０・・・・袋体
１２・・・・区画
１４・・・・固定部材
２０・・・・容器
２２・・・・通水孔
２４・・・・凸部
３０・・・・載置台
３２・・・・通水孔
【図１】
0003232241.tif 000003
【図２】
0003232241.tif 000004
【図３】
0003232241.tif 000005